(57)【要約】【課題】香りによって適切なおむつの交換時期を知らせることができるようにする。【解決手段】体液との接触により香りを発する水溶性香料が、吸収体１３の外周部の少なくとも一部に形成された塗布範囲３０に配設され、吸収体１３の中央部には配設されない。これによって、１回目に吸収体中央部のみに吸収保持されるような排泄があったときから香りを発するのではなく、２回目以降の排尿領域が吸収体１３の外周部にまで達し吸収体１３の吸収量が許容量に近づいた時点で香りを発するようになる。従って、香りによって適切なおむつ交換時期を知ることができる。【選択図】図３
2014166208.tif 000002
【特許請求の範囲】
【請求項１】
少なくとも吸収体を有する吸収性物品において、体液との接触により香りを発するマイクロカプセル化又は粉末化した水溶性香料が、前記吸収体の外周部の少なくとも一部に塗布され、前記吸収体の体液排出部に対応する部分及びその周辺には塗布されていないことを特徴とする吸収性物品。
【請求項２】
前記水溶性香料は、前記吸収体の前後方向の両端部及び／又は幅方向の両側部にそれぞれ塗布されている請求項１記載の吸収性物品。
【請求項３】
前記水溶性香料の塗布範囲は、前記吸収体の中央側より周縁側の方が広く設定されている請求項１、２いずれかに記載の吸収性物品。
【請求項４】
前記水溶性香料の塗布範囲は、前記吸収体の中央側から周縁側に向けて複数に区画され、各区画部にそれぞれ異なる香りを発する水溶性香料が塗布されている請求項１〜３いずれかに記載の吸収性物品。
【請求項５】
前記水溶性香料は、吸収体中央側の区画部に塗布されたものと、その吸収体周縁側の区画部に塗布されたものとが混合することにより、他の香りに変化するように構成されている請求項４記載の吸収性物品。
【請求項６】
前記吸収体の前後方向の両端部又は幅方向の両側部に、前記吸収体の中央側から周縁側に向かう方向とほぼ直交する方向に沿ってエンボス凹部が設けられている請求項１〜５いずれかに記載の吸収性物品。
【請求項７】
前記吸収性物品は、透液性トップシートとバックシートとの間に被包シートによって囲繞された前記吸収体が介在されるとともに、前記吸収体と被包シートとの間にボトムシートが介在されて構成され、
前記水溶性香料は、前記ボトムシートと被包シートとの間及び／又は被包シートとバックシートとの間に塗布されている請求項１〜６いずれかに記載の吸収性物品。
【発明の詳細な説明】
【技術分野】
【０００１】
本発明は、使い捨ておむつ、尿取りパッド、失禁パッド等の吸収性物品に係り、詳細には香りを発することによって適切なおむつの交換時期を知らせることができる吸収性物品に関する。
【背景技術】
【０００２】
従来より、排泄があったときに排泄物との接触により変色等の視覚的変化を生じるインジケータを備えることによって外部から排泄の有無が認識できるようにした、いわゆるお知らせ機能を備えた使い捨ておむつが知られている。ところが、このような変色等によるお知らせ機能では、おむつの上に服を着ていると、一々服を脱がしたり、服の中を覗き込んだりしてインジケータを確認する必要があり、手間がかかるとともに、このような確認作業を怠ったりインジケータの変色を見逃したりした場合には、排尿量がおむつの吸収容量をオーバーして、漏れの原因となることも多かった。
【０００３】
このため、変色等によるお知らせ機能ではなく、排泄物との接触により香りを発する臭覚的変化を生じるお知らせ機能を備えたものが提案されている。例えば、下記特許文献１においては、吸収性物品への排尿、排便等によって、始めて加水分解酵素が作用し、香料前駆体物質が加水分解されて香りを放ち、この香りの発生によって、排尿や排便等が起こったかどうかを確認できるようにしたものが開示されている。また、下記特許文献２においては、吸液性コア中または透液性コアと不透液性裏面シートとの間あるいは吸液性コアと透液性表面シートとの間に、水溶性被覆材に揮発性物を封じ込めた揮発性物封入体を収容し、排泄物の水分により水溶性被覆材を溶かして揮発生物を漏出させる使い捨ておむつが開示されている。前記揮発生物封入体は、少なくとも排泄物が付着する領域、例えば股間に当たる部分に収容されている。さらに、下記特許文献３においては、水分活性化封入香料を液体吸収物質に均一に散布、混合又は分配することにより、液体吸収物質に適用した吸収物品が開示されている。下記特許文献４においては、排泄物と接触することにより芳香を発する第１芳香部及び第２芳香部を有し、該第１芳香部及び第２芳香部は、互いに異なる芳香が付与されており、前記第１芳香部は装着者の排尿部に当接される受尿部に配され、前記第２芳香部は、前記受尿部を避けて、吸収体の長手方向端部に配されている吸収性物品が開示されている。
【先行技術文献】
【特許文献】
【０００４】
【特許文献１】特開平８−１２６６６１号公報
【特許文献２】特開平１０−８５２５５号公報
【特許文献３】特表平８−５０８４２３号公報
【特許文献４】特開２０１１−１０３９２３号公報
【発明の概要】
【発明が解決しようとする課題】
【０００５】
しかしながら、上記特許文献１〜３記載の吸収性物品では、排泄物との接触により香りを発生する香料が吸収体に均一に分散配置されるか股間部中央に配置されているため、１回目の排尿があったときから香りが発するように構成されており、香りによって排尿があったこと自体は認識できるものの、おむつ交換をすべきか否かという適切なおむつの交換時期を知らせるものではなかった。つまり、１回目の排尿量が少なく、吸収体の吸収容量としては十分な余裕があるにもかかわらず、香りが発生しているためおむつを脱着したら未だ交換時期ではなく、再度装着し直すという手間がかかったり、仕方なく新しいおむつに交換するという無駄が発生したりしていた。
【０００６】
一方、上記特許文献４記載の吸収性物品では、前記第１芳香部及び第２芳香部が、芳香の発散性を有する揮発性物質を含有する水溶性樹脂の層と、水溶性樹脂の層の一面に設けられた、前記揮発性物質を実質的に含有しない水溶性樹脂の層とを有する芳香発散層によって構成されているため、香料範囲の形状を自由に設定することが難しく、製造ラインで芳香発散層からなるシート材を配設する工程が別途必要となり、位置決めや脱落防止手段等を講じなければならない製造手間があった。
【０００７】
そこで本発明の主たる課題は、香りによって適切なおむつの交換時期を知らせることができるとともに、香料範囲の形状が自由に設定でき、製造工程を簡略化した吸収性物品を提供することにある。
【課題を解決するための手段】
【０００８】
上記課題を解決するために請求項１に係る本発明として、少なくとも吸収体を有する吸収性物品において、体液との接触により香りを発するマイクロカプセル化又は粉末化した水溶性香料が、前記吸収体の外周部の少なくとも一部に塗布され、前記吸収体の体液排出部に対応する部分及びその周辺には塗布されていないことを特徴とする吸収性物品が提供される。
【０００９】
上記請求項１記載の発明では、体液との接触により香りを発するマイクロカプセル化又は粉末化した水溶性香料を吸収体の外周部の少なくとも一部に塗布し、吸収体の体液排出部に対応する部分及びその周辺には塗布していないため、１回目に吸収体中央部のみに吸収保持されるような排泄があったときから香りを発するのではなく、２回目以降の排泄があった場合又は１回目の排泄であっても大量の場合であって、吸収体に吸収保持される排泄物が吸収体の外周部まで達し吸収体の吸収容量に近づいた時点で香りを発するようにしているため、この香りによって適切なおむつの交換時期が認識できるようになる。
【００１０】
また、前記水溶性香料は、マイクロカプセル化又は粉末化したものを吸収体の所定部位に塗布され、従来のように香料が含有されたシート材を配設するものではないため、香料範囲の形状が自由に設定できるようになるとともに、位置決めや脱落の心配がないため、製造工程が簡略化できるようになる。
【００１１】
請求項２に係る本発明として、前記水溶性香料は、前記吸収体の前後方向の両端部及び／又は幅方向の両側部にそれぞれ塗布されている請求項１記載の吸収性物品が提供される。
【００１２】
上記請求項２記載の発明は、水溶性香料の吸収体に対する平面位置を示したもので、吸収体の前後方向の両端部及び／又は幅方向の両側部に拡散した排泄物を捉えて香りを発し、おむつ交換時期を知らせるようにしたものである。
【００１３】
請求項３に係る本発明として、前記水溶性香料の塗布範囲は、前記吸収体の中央側より周縁側の方が広く設定されている請求項１、２いずれかに記載の吸収性物品が提供される。
【００１４】
上記請求項３記載の発明では、水溶性香料の塗布範囲を吸収体の中央側より周縁側の方が広くなるように設定することによって、排泄物の拡散範囲が徐々に周縁側に近づくに従って、段階的に又は連続的に香りが強くなるようにし、おむつ交換時期であることがより確実に認識できるようにしている。
【００１５】
請求項４に係る本発明として、前記水溶性香料の塗布範囲は、前記吸収体の中央側から周縁側に向けて複数に区画され、各区画部にそれぞれ異なる香りを発する水溶性香料が塗布されている請求項１〜３いずれかに記載の吸収性物品が提供される。
【００１６】
上記請求項４記載の発明では、水溶性香料の塗布範囲を吸収体の中央側から周縁側に向けて複数に区画し、各区画部にそれぞれ異なる香りを発する水溶性香料を塗布することによって、排泄物の拡散範囲が中央側から周縁側に徐々に拡がるに従って、段階的に香りの種類が変化するようにし、この香りの種類によっておむつ交換時期が識別できるようにしている。
【００１７】
請求項５に係る本発明として、前記水溶性香料は、吸収体中央側の区画部に塗布されたものと、その吸収体周縁側の区画部に塗布されたものとが混合することにより、他の香りに変化するように構成されている請求項４記載の吸収性物品が提供される。
【００１８】
上記請求項５記載の発明では、水溶性香料の塗布範囲を複数に区画し各区画部にそれぞれ異なる香りを発する水溶性香料を塗布する際、吸収体中央側の区画部に塗布された水溶性香料と、その吸収体周縁側（その直ぐ外側）の区画部に塗布された水溶性香料とが混合したときに、これら中央側の水溶性香料及びその外側の水溶性香料の単独の香りとは異なる他の香りに変化する水溶性香料を用いることによって、両者の香りが発せられたときにお互いにかき消されておむつ交換時期を知らせることができないという事態が防止できる。
【００１９】
請求項６に係る本発明として、前記吸収体の前後方向の両端部又は幅方向の両側部に、前記吸収体の中央側から周縁側に向かう方向とほぼ直交する方向に沿ってエンボス凹部が設けられている請求項１〜５いずれかに記載の吸収性物品が提供される。
【００２０】
上記請求項６記載の発明では、前記吸収体の前後方向の両端部又は幅方向の両側部に、前記吸収体の中央側から周縁側に向かう方向とほぼ直交する方向、即ち排泄物の拡散範囲の外縁に沿う方向に沿ってエンボス凹部を設けている。排泄物の拡散範囲は、着用者の体勢や吸収体の繊維配向方向などによって定かではないが、このエンボス凹部を設けることによって、吸収体の前後方向の拡散及び幅方向の拡散に対する不整合を制御することが可能となり、吸収体の吸液余力と香りの発生時期との関係が調整できるようになる。
【００２１】
請求項７に係る本発明として、前記吸収性物品は、透液性トップシートとバックシートとの間に被包シートによって囲繞された前記吸収体が介在されるとともに、前記吸収体と被包シートとの間にボトムシートが介在されて構成され、
前記水溶性香料は、前記ボトムシートと被包シートとの間及び／又は被包シートとバックシートとの間に塗布されている請求項１〜６いずれかに記載の吸収性物品が提供される。
【００２２】
上記請求項７記載の発明は、水溶性香料を塗布する断面位置の好ましい部分を規定したものである。具体的には、着用者の肌への負担や香りの拡散性などを考慮して、ボトムシートと被包シートとの間及び／又は被包シートとバックシートとの間としている。
【発明の効果】
【００２３】
以上詳説のとおり本発明によれば、香りによって適切なおむつの交換時期を知らせることができるとともに、香料範囲の形状が自由に設定でき、製造工程が簡略化できるようになる。
【図面の簡単な説明】
【００２４】
【図１】本発明に係る使い捨ておむつ１の一部破断展開図である。
【図２】そのII−II線矢視図である。
【図３】水溶性香料の塗布範囲３０を示す吸収体１３の平面図である。
【図４】他の形態に係る水溶性香料の塗布範囲３０を示す吸収体１３の平面図である。
【図５】他の形態に係る水溶性香料の塗布範囲３０を示す吸収体１３の平面図である。
【図６】他の形態に係る水溶性香料の塗布範囲３０を示す吸収体１３の平面図である。
【図７】他の形態に係る水溶性香料の塗布範囲３０を示す吸収体１３の平面図である。
【図８】エンボス凹部３２を設けた吸収体１３の平面図である。
【図９】(A)はエンボス凹部３２を設けない場合、(B)はエンボス凹部３２を設けた場合の拡散領域を示す吸収体１３の平面図である。
【図１０】水溶性香料の配設要領の一例を示す吸収体１３の製造工程図である。
【発明を実施するための形態】
【００２５】
以下、本発明の実施の形態について図面を参照しながら詳述する。
〔使い捨ておむつ１の基本構成〕
本発明に係る使い捨ておむつ１は、図１に示されるように、不織布などからなる透液性トップシート１１と、ポリエチレンなどからなるバックシート１２と、前記透液性トップシート１１とバックシート１２との間に介在される綿状パルプなどからなる吸収体１３と、この吸収体１３を囲繞する被包シート１４と、前記被包シート１４と透液性トップシート１１との間に介在される親水性不織布からなるセカンドシート１８とを含み、表面がわ両側部に立体ギャザーＢＳ、ＢＳが形成された吸収性本体１０と、前記バックシート１２の外面側に一体的に設けられた外装シート２０とからなり、製品状態で前記外装シート２０の前身頃Ｆと後身頃Ｂとが両側部２１、２２において接合されることによりウエスト開口部及び左右一対のレッグ開口部が形成された構造のパンツ型おむつである。
【００２６】
前記吸収性本体１０は、前述したように、不織布などからなる透液性トップシート１１と、ポリエチレン等からなるバックシート１２との間に、綿状パルプ等の繊維集合体と高吸収性ポリマー等の高吸収材などからなる吸収体１３を介在させた構造とされ、体液を吸収保持するものである。
【００２７】
前記吸収体１３は、坪量が５０〜６００ｇ／ｍ２程度が好ましく、２００〜４００ｇ／ｍ２程度がより好ましい。前記高吸収性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。前記吸収体１３における高吸収性ポリマーの含有比率は、３０〜７０％程度が適当であるが、これに限るものではない。また、図示例では平面形状を略方形状として成形されたものが使用され、その幅寸法は股間部への当たりによって着用者にゴワ付き感を与えない寸法幅となっている。前記吸収体１３の繊維配向方向は特に限定されないが、一般に前後方向に長い縦長に形成されるため、横漏れ防止のために吸収体幅方向への拡散を抑制し、吸収体前後方向へ拡散しやすくするため、主として前後方向に沿う方向を繊維配向方向とすることが好ましい。
【００２８】
前記吸収体１３は、被包シート１４によって囲繞されている。被包シート１４は、ティシュー等の紙材あるいは不織布等の透液性のシートを用いることができるが、吸収体１３に含有される前記繊維集合体や高吸収材又は水溶性香料が抜け出さない程度の繊維密度を有するものを用いることができる。また、水溶性香料が被包シート１４に囲繞される場合は、外部に香りが放散し易くするため、薄く低坪量のものが適当である。厚みは０．０５〜０．５ｍｍ程度が好ましく、０．０５〜０．２ｍｍ程度がより好ましい。坪量は５〜２５ｇ／ｍ２程度が好ましく、５〜１５ｇ／ｍ２程度がより好ましい。不織布を用いる場合は、スパンボンド法やＳＭＳ法により加工された不織布、特にＳＭＳ法により加工された不織布が、薄さと強度のバランスに優れる点で好適である。なお、被包シート１４は、少なくとも吸収体１３の表面側（肌当接面側）の面が撥水性でなければシートの親水度は特に問わない。また、吸収体１３に含有される前記繊維集合体や高吸収材又は水溶性香料が抜け出さないように構成されておれば、被包シート１４の表側面または裏側面あるいはその両方を省略することも可能である。特に、吸収体１３の裏側には通常防漏シート１２が配置されるため、製造工程上問題なければ被包シート１４の裏側面は省略するとよい。
【００２９】
前記吸収体１３の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、スパンボンド法やＳＭＳ法により加工された不織布が薄さと強度のバランスに優れる点で好適であり、エアスルー法により加工された不織布は低坪量でも吸収が速やかでかつドライタッチ性に優れるため好適である。これらは１層からなるシートでも２層以上（同一種類あるいは複数種類）からなるシートでもよいが、合計の坪量としては、１０〜４０ｇ／ｍ２が好ましく、１０〜２２ｇ／ｍ２がより好ましく、１０〜１５ｇ／ｍ２が特に好ましい。厚みは１ｍｍ以下が好ましく、０．５ｍｍ以下がより好ましく、０．３ｍｍ以下が特に好ましい。透液性トップシート１１に多数の透孔を形成した場合には、尿などが速やかに吸収されるようになり、ドライタッチ性に優れたものとなる。前記透液性トップシート１１は、吸収体１３の側縁部を巻き込んで吸収体１３の裏面側まで延在している。
【００３０】
前記吸収体１３の裏面側（非肌当接面側）を覆うバックシート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。具体的には、JIS Z0208に準じて測定された透湿度が３０００〜１２０００g/m2・24hr、好ましくは６０００〜１２０００g/m2・24hr、より好ましくは８０００〜１２０００g/m2・24hrの不透液性シートを使用するのが望ましい。
【００３１】
一方、立体ギャザーＢＳを形成するギャザー不織布１６は、折返しによって二重シートとした不織布が用いられ、前記透液性トップシート１１によって巻き込まれた吸収体１３の側縁部をさらにその上側から巻き込んで吸収体１３の裏面側まで延在して接着されている。より具体的には、前記ギャザー不織布１６は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３２】
前記二重シート不織布によって形成されたギャザー不織布１６の内部には、起立先端側部分に複数本の糸状弾性伸縮部材１７、１７…が配設されている。前記糸状弾性伸縮部材１７、１７…は、製品状態において弾性伸縮力により吸収体側縁部より突出する不織布部分を起立させて立体ギャザーＢＳを形成するためのものである。
【００３３】
前述のギャザー不織布１６を構成する素材繊維も前記透液性トップシート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、ＳＭＳ法、サーマルボンド法、エアスルー法、ポイントボンド法、メルトブローン法、ニードルパンチ法等の適宜の加工方法により得られた不織布を用いることができるが、特にはムレを防止するために、坪量を抑えて通気性に優れた不織布を用いるのがよい。具体的には、不織布の加工方法としてはスパンボンド法やＳＭＳ法によるものが薄さと強度のバランスに優れる点で好適であり、坪量としては、８〜３０ｇ／ｍ２が好ましく、１０〜２２ｇ／ｍ２がより好ましく、１０〜１５ｇ／ｍ２が特に好ましい。厚みは０．５ｍｍ以下が好ましく、０．３ｍｍ以下がより好ましく、０．２ｍｍ以下が特に好ましい。さらに前記ギャザー不織布１６については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
また、図示しないが、前記二重シート不織布によって形成されたギャザー不織布１６の内部には、バックシート１２と同様の不透液性のシートを挟んで防水性を向上させても良い。
【００３５】
また、前記透液性トップシート１１の下面側（吸収体側）には、体液の吸収速度を速めるとともに、体液の逆戻りを防止するため、透液性トップシート１１と被包シート１４との間に、親水性不織布からなるセカンドシート１８を配置するのが好ましい。このセカンドシート１８はなくても良いが、配設する場合には、透液性トップシート１１と被包シート１４との間に配置される。セカンドシート１８は、体液の浸透性を向上し、かつ逆戻りを防止できるよう、吸収体１３のほぼ全域を覆うように配置するのが好ましい。
【００３６】
さらに、吸収体１３の裏面側にはボトムシート１９を設けることができる。ボトムシート１９は、吸収体１３だけでは不足する剛性を補ったり、製品外面の手触りを改善したりするために設けられるものである。ボトムシート１９の素材としては、特に限定されないが、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。ボトムシート１９は、吸収体１３の下方にのみ設けても、吸収体１３の側面を通り吸収体１３の上面にまで巻き上げて延在させてもよい。また、ボトムシート１９を複数枚重ねて使用することも可能である。
【００３７】
次に外装シート２０の構造について詳述する。外装シート２０は、上層不織布２０Ａ及び下層不織布２０Ｂが、ホットメルト接着剤などにより接着された２層構造の不織布シートとされ、前記上層不織布２０Ａと下層不織布２０Ｂとの間に各種弾性伸縮部材がホットメルト接着剤などにより接着され、伸縮性が付与されている。平面形状は、中間両側部に夫々脚部開口を形成するための凹状の脚回りカットライン２９により、全体として擬似砂時計形状を成している。
【００３８】
上層不織布２０Ａ及び下層不織布２０Ｂを構成する素材繊維も、前記透液性トップシート１１やギャザー不織布１６と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、ＳＭＳ法、メルトブローン法、サーマルボンド法、エアスルー法、ポイントボンド法、ニードルパンチ法等の適宜の加工方法に得られた不織布を用いることができるが、特には外部へ香りを放散しやすくするため、また、ムレを防止するために、坪量を抑えて通気性に優れた不織布を用いるのがよい。具体的には、不織布の加工方法としてはスパンボンド法やＳＭＳ法によるものが薄さと強度のバランスに優れる点で好適であり、坪量としては、８〜３０ｇ／ｍ２が好ましく、１０〜２２ｇ／ｍ２がより好ましく、１０〜１５ｇ／ｍ２が特に好ましい。厚みは０．５ｍｍ以下が好ましく、０．３ｍｍ以下がより好ましく、０．２ｍｍ以下が特に好ましい。さらに前記ギャザー不織布１６と同様の撥水処理を施した不織布を用いるのが好ましい。
【００３９】
前記外装シート２０においては、前記弾性伸縮部材として、ウエスト開口部回り２３に配置されたウエスト部弾性伸縮部材２４，２４…と、前身頃Ｆ及び後身頃Ｂに、上下方向に間隔をおいて水平方向に沿って配置され、腰回りにシャーリングを形成するための複数の腰回り弾性伸縮部材群２５，２５…とを有する。
【００４０】
前記ウエスト部弾性伸縮部材２４，２４…は、前身頃Ｆと後身頃Ｂとが接合された脇部接合縁２１の範囲の内、ウエスト開口縁近傍に上下方向に間隔をおいて配設された複数本の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００４１】
前記腰回り弾性伸縮部材群２５，２５…は、脇部接合縁２１のウエスト開口縁２３を除く上部位置から下部位置まで、あるいは図示されるように、脇部接合縁２１よりも股下側に及ぶ範囲に亘り、上下方向に間隔をおいて水平方向に沿って配設された糸ゴム状弾性伸縮部材であり、前身頃Ｆ及び後身頃Ｂの腰回り部分に夫々、水平方向の伸縮力を与え腰回りシャーリングゾーンＫ１、Ｋ２を形成するためのものである。なお、前記ウエスト部弾性伸縮部材２４、２４…と腰回り弾性伸縮部材群２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材２４として機能し、残りの弾性伸縮部材が腰回り弾性伸縮部材２５として機能していればよい。前記吸収体１３の縮こまりを防止するため、前記腰回り弾性部材２５…は、吸収性本体が接合される中央付近において連続しておらず、前記吸収性本体１０を横切る弾性伸縮部材２５…を切断して不連続とし、前記腰回り弾性部材２５…による伸縮性が付与されていない構造としてもよい。
【００４２】
なお、外装シート２０において、弾性伸縮部材を配置しない股下部の長手方向（前後方向）中間部は、前述のような２層構造ではなく、上層不織布２０Ａあるいは下層不織布２０Ｂを有さない１層構造、あるいは股下部の長手方向中間部には外装シート２０を有さず、外装シート２０が前身頃外装シートと後身頃外装シートとに分離している形態であるのが好ましい。このように、股下部に外装シートを有さない、あるいは外装シートの重なり枚数が少ない領域を有すると、この領域においては、外部へ香りが放散しやすくなるため、好ましい。なお、股下部の長手方向中間部に外装シート２０を有さない場合は、吸収性本体の裏面側に、不織布などからなる股下部外装シートを配置してもよい。股下部外装シートには、上層不織布２０Ａや下層不織布２０Ｂと同様の不織布を用いればよいが、１枚（１層）の不織布から構成するのが適当である。
【００４３】
上記吸収性本体１０と外装シート２０とは、外装シート２０の上面側に吸収性本体１０がホットメルト等の接着剤によって接着され一体化されている。そして、吸収性本体１０および外装シート２０が前後方向に折り重ねられ、その両側部が相互に熱溶着またはホットメルト接着剤などによって接合されることにより、パンツ型の使い捨ておむつ１に組み立てられる。
【００４４】
〔水溶性香料〕
水溶性香料は、体液との接触によりはじめて香りを発し、接触前はほとんど香りを発しないように構成されたもので、具体的には、香料成分自体が水分と反応して香りを発するもの、香料成分を包接化合物（クラスレート）に取り込んだもの、香料成分を芯材（内包材）とし水溶性成分を膜材としてマイクロカプセル化したものなどによって構成することができる。前記水溶性香料は、マイクロカプセル化又は粉末化され、所定の部材に対し所定の方法で担持されている。
【００４５】
前記香料成分としては、天然香料及び合成香料のいずれを用いてもよく、これらを組み合わせて使用してもよい。香料成分の具体例としては、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができるが、特にこれらに限定されるものではない。香料成分として市販品のものを広く使用することもできる。前記香料成分は、揮発性の高い香料を使用することが好ましい。
【００４６】
また、前記香料成分として、香料自体に消臭効果があるものや、排泄物の不快臭と調和して新たに不快を感じさせない香りを発生させるハーモナイズド香料を使用することもできる。
【００４７】
香料成分自体が水分と反応して香りを発するものとしては、香料ベースをアルコールと水で溶解、抽出した飲料などに使用される水溶性香料（エッセンス）などがある。
【００４８】
前記包接化合物としては、シクロデキストリン、デキストリン、難消化性デキストリンなどを使用することができ、特に、シクロデキストリンを使用した場合には、香りを発するだけでなく、排泄物の臭い成分を吸着するのに有効であるため好ましい。前記シクロデキストリンとしては、α−シクロデキストリン、β−シクロデキストリン、γ−シクロデキストリンのいずれか又は２種以上の混合物とすることができる。
【００４９】
香料成分をマイクロカプセル化したものは、尿や便等の排泄物中の水分と接触すると芯材の香料成分が流出し、香りを発する性質を有するものである。どのような仕組みで香料成分が流出するかは、特に限定されない。例えば、排泄物中の液分を吸うと膜材が壊れる形態、排泄物中の液分を吸うと膨潤して膜材に形成されている細孔が開く形態、排泄物中の液分を吸うと膜材が溶解する形態、などを例示することができる。また、このような液分の吸収による形態に変えて、排泄物との接触による受熱、ｐＨ変化などによって同様の現象が生じる形態も例示することができる。
【００５０】
前記膜材としては、水溶性のものであればよく、例えば、ゼラチン、寒天、天然ゲル化剤、グリセリンなどを使用することができる。また、カプセルの構造も特に限定されず、例えば、単純単核のものを例示することができる。さらに、マイクロカプセルの形状も特に限定されない。ただし、着用者に異物感を与えないよう、突起部のない形状であるのが好ましい。マイクロカプセルの大きさも、特に限定されない。着用者の異物感防止などの観点から、適宜設計することができる。異物感防止という観点からは、通常、０．１〜１０００μｍ、好ましくは１〜５０μｍである。
【００５１】
上述の構成からなる水溶性香料は、使い捨ておむつ１上の平面位置が吸収体１３の外周部のうちの少なくとも一部である所定の領域に塗布され、吸収体１３の体液排出部に対応する部分及びその周辺には塗布されていない。
【００５２】
前記水溶性香料が塗布されない部分は、少なくとも着用者の体液排出部に対応する部位を含む部分であって、好ましくは１回目の平均的な量の排尿によって吸収体１３内に吸収された尿が拡散した範囲を含む部分とする。
【００５３】
排尿によって尿が拡散する範囲は、後段の実施例で詳述するように、透液性トップシート１１や吸収体１３の材質、高吸収材の量及び配合比率、吸収体１３の前後方向及び幅方向の配置位置、更には単位時間当たりの排泄量や排泄時の着用者の姿勢などによって異なるが、例えば、綿状パルプと高吸収性ポリマーの配合比率が重量比率１：２からなる体重９〜１４kgの子供を対象とした幅１４０mm、全長３８５mmの吸収体１３を備えた使い捨ておむつの場合、このサイズのおむつを使用する女児の平均排尿位置の中心が吸収体１３の前側端部より３０mmの幅方向中央部とし、この位置に１回目の平均排尿量である約３５ccの排尿があったとき、この排尿位置から最大で半径約８０mmの範囲に拡散する吸収体１３の場合、吸収体１３の前後方向に対し、前側端部より３０mm〜１７０mmの範囲を水溶性香料を塗布しない領域と設定することが可能である。
【００５４】
図３に示される例では、前記水溶性香料は、吸収体１３の前後方向の両端部に形成された塗布範囲３０、３０にそれぞれ塗布されているが、吸収体１３の幅方向の両側部のみにそれぞれ配設してもよいし、前後方向の両端部及び幅方向の両側部にそれぞれ離間して又は連続的に塗布してもよい。図３の塗布範囲３０は、水溶性香料が塗布される平面的範囲を示したものである。
【００５５】
このように水溶性香料を吸収体１３の外周部に塗布し、体液排出部に対応する部分及びその周辺には塗布しないことによって、１回目に吸収体１３の体液排出部に対応する部分及びその周辺のみに吸収保持されるような排尿や排便等の排泄があったときから香りを発するのではなく、２回目以降の排泄があったとき又は１回目であっても大量の排泄があったときであって、吸収体１３に吸収保持される尿や便の液分等の排泄物が吸収体１３の外周部まで達し吸収体１３の吸収容量に近づいた時点で香りを発するため、この香りによって適切なおむつの交換時期が認識できるようになる。つまり、図３に示されるように、排尿回数が増す度に、吸収体１３に吸収保持される尿の範囲（排尿範囲Ｈ１、Ｈ２…）が外周部に拡大するが、その外縁が水溶性香料の塗布範囲３０に達したとき、図示例では４回目の排尿時に初めて香りが発するようになる。
【００５６】
水溶性香料の塗布範囲３０については、吸収体１３の体液排出部に対応する部分及びその周辺以外であれば特に限定はされないが、あまり吸収体１３の外縁部に近い部分のみとすると、香りの発生と同時に容量オーバーとなって漏れが発生するおそれがあるので、各回の排尿で吸収体１３に拡がる尿の範囲を予め得ておき、２回目以降、好ましくは２回目〜５回目程度の排尿があったときにはじめて香りを発するような範囲に塗布することが好ましい。例えば、前述と同様に吸収体の幅が１４０mm、長さが３８５mmの方形状のものを使用し、体重目安が９〜１４ｋｇの子供用の使い捨ておむつにおいて、吸収体１３の前後方向中央から前側に３０mm（このサイズのおむつを使用する女児の平均排尿位置）の幅方向中央部に位置する排尿位置に、約３５cc（このサイズのおむつを使用する子供の平均排尿量）の量の１回目の排尿があった場合、この排尿位置から最大で半径約８０mmの範囲に拡散するため、水溶性香料の塗布範囲３０は、前後方向端部より６０mmの位置より外側、好ましくは前後方向端部より５０mmの位置より外側、更に好ましくは前後方向端部より３０mmの位置より外側に形成することが好ましい。これにより２回目以降の排泄があったときにはじめて香りが発するようになる。
【００５７】
子供用の使い捨ておむつなどのように吸収体の幅が１５０ｍｍ以下の場合、１回目の排尿で吸収体の全幅方向に尿が拡散する場合もあるので、上述のように吸収体１３の前後方向の端部に水溶性香料の塗布範囲３０を設けることが望ましいが、大人用の使い捨ておむつなどのように吸収体の幅が１５０ｍｍを超える場合は、吸収体１３の幅方向両端部に水溶性香料の塗布範囲３０を設けることが好ましい。これにより、大人が夜間に使用していて、寝返りをうったときなど吸収体に吸収される前に少量の尿漏れがあった場合には香りが発生しないが、吸収体１３に吸収される一定量以上の排尿があった場合には香りが発生するようになる。
【００５８】
前記水溶性香料を塗布する部材（断面位置）は、排泄物と接触する位置であれば特に定めはなく、吸収体１３中に混入することも可能であるし、透液性トップシート１１とセカンドシート１８との間、セカンドシート１８と被包シート１４との間、上層側の被包シート１４と吸収体１３との間、ボトムシート１９と下層側の被包シート１４との間及び／又は下層側の被包シート１４とバックシート１２との間に塗布することも可能である。着用者の肌への負担や香りの拡散性などを考慮すると、ボトムシート１９と下層側の被包シート１４との間及び／又は下層側の被包シート１４とバックシート１２との間に塗布するのが好ましい。
【００５９】
前記水溶性香料を各部材に塗布するとは、通常のハケなどによる塗布の他、スプレーやロール転写等の公知の吹付又は散布方法によって担持させることも含むし、ホットメルト接着剤等の塗布面に対しマイクロカプセル化又は粉末化した水溶性香料を散布することによって担持させることも含む。すなわち、水溶性香料がシート材などの別部材に担持されるのではなく、前記使い捨て紙おむつ１の構成部材に直接的に担持されたものであることを意味する。
【００６０】
前記水溶性香料の塗布範囲３０の平面形状は、図３に示されるように、略方形状としてもよいが、吸収体１３の中央側より周縁側の方が広くなるように設定された形状とすることが好ましい。具体的には、図４に示されるように、吸収体１３の前後方向の両端部にそれぞれ、幅方向に沿う３本の帯状範囲３０ａ、３０ｂ、３０ｃが吸収体中央側から前後方向に間隔をあけて配置されるとともに、吸収体１３の中心側に位置する帯状範囲の方が（３０ａ側の方が）、漸次幅方向長さ及び／又は前後方向長さが小さくなるように形成されている。これにより、吸収体１３の中央部から外側に排尿範囲が徐々に拡大していくのにつれて（Ｈ１→Ｈ４）、この排尿範囲がかかる水溶性香料の配設範囲が徐々に拡大していくため、段階的により強い香りが発せられるようになり、吸収体１３の吸液余力が少なくなるにつれて香りをより気付きやすくなる。
【００６１】
前記３本の帯状範囲３０ａ、３０ｂ、３０ｃは、図５に示されるように、中央部からほぼ楕円状又は円状に拡大する排尿範囲の外形線に合わせて、外側に凸の湾曲状に設けることもできる。
【００６２】
一方、図６に示されるように、前記塗布範囲３０の平面形状は、吸収体１３の前後方向の両端部を底辺とし、中央側を頂点とする三角形状とすることも可能である。これにより、吸収体１３の中央部から外側に排尿範囲が徐々に拡大して行くにつれて、連続的により強い香りが発せられるようになる。この三角形の頂点は、２回目の排尿範囲にかかる程度の位置とすることが好ましい。また、図示例では、連続的な三角形状としてあるが、おむつ前後方向に離間する複数の領域に区画された不連続的な三角形状としてもよい。
【００６３】
また、前記水溶性香料の塗布範囲３０は、図７に示されるように、円、楕円、多角形などの離散的な図形の組合せとしてもよい。図示例では、おむつ前後方向の両端部にそれぞれ、おむつ幅方向に間隔をあけて配列された３つの円形の区画部がおむつ前後方向に間隔をあけて３段に亘って設けられ、吸収体１３の中央寄りの段に位置する各区画部の直径が漸次小さくなるように形成されている。
【００６４】
前記水溶性香料の塗布範囲３０は、吸収体１３の中央側から周縁側に向けて複数の区画部に区画され、各区画部にそれぞれ異なる香りを発する水溶性香料を配設するようにしてもよい。例えば、図４及び図５に示されるように、帯状範囲３０ａ、３０ｂ、３０ｃがおむつ前後方向に間隔をあけて離散的に配置される場合、各帯状範囲３０ａ、３０ｂ、３０ｃに、それぞれ異なる香りを発する水溶性香料を配設することができる。また、図３及び図６に示されるように、塗布範囲３０がおむつ前後方向に連続的に設けられる場合、図示しないが塗布範囲３０をおむつ前後方向に複数に区画し、各区画部にそれぞれ異なる香りを発する水溶性香料を塗布することができる。この場合、区画部がおむつ前後方向に２つ〜５つ程度形成されるように区画することが好ましい。これにより、香りの種類によっておむつ交換時期の目安とすることが可能になる。
【００６５】
このように、水溶性香料の塗布範囲３０をおむつ前後方向に複数に区画し、各区画部にそれぞれ異なる香りを発する水溶性香料を塗布した場合の効果について実証試験を行った。実験では、吸収体の前端を０とし後端を１００としたときに、第１の水溶性香料Ａを７０〜８５の範囲に塗布し、第２の水溶性香料Ｂを８５〜１００の範囲に塗布した吸収体１３を用意し、前記水溶性香料Ａの一部が吸水した使い捨ておむつと、水溶性香料ＡとＢの両方が吸水した使い捨ておむつとについて、被験者５人に臭いを嗅いでもらい、両者に香りの違いがあるかどうかを回答してもらった。その結果、５人の被験者全員が香りに違いがあると回答し、香りが同じと答えた者はいなかった。
【００６６】
ここで、各区画部に異なる種類の水溶性香料を塗布する場合、水溶性香料は、吸収体中央側の区画部に塗布されたものと、その吸収体周縁側の区画部（その直ぐ外側の区画部）に塗布されたものとが混合することにより、これらの区画部に塗布された香料自体の香りとは異なる他の香りに変化するような香料を使用することが好ましい。具体的には、図４に示されるように、帯状範囲３０ａに尿が接触して発せられた香りと、その直ぐ外側に塗布された帯状範囲３０ｂに尿が接触して発せられた香りとが混合することにより、これら帯状範囲３０ａ、３０ｂに塗布された香料とは異なる香りを発するような変調作用のある香料を使用する。これにより、帯状範囲３０ａの香りによって次の帯状範囲３０ｂの香りがかき消されて気付かないという問題が解決でき、香りが確実に識別でき、おむつの交換時期を適切に知ることができるようになる。このような変調作用のある香料としては、例えば甘いフルーツの香りとフレッシュなベリーやシトラスの香りが合わさることでフルーティフローラルのような香りに感じるなど、通常の香りの調合の際に複数の香りを合わせることで香りの感じ方が変わるもの等を使用することができる。
【００６７】
ところで、吸収体１３に吸収された排泄物の拡散範囲は、図示例では楕円状又は円状に示してあるが、実際には着用者の体勢や吸収体１３の繊維配向方向などによって定かではない。このような吸収体１３における前後方向と幅方向の拡散範囲の不整合を調整するため、図８に示されるように、吸収体１３の前後方向の両端部又は幅方向の両側部に、吸収体１３の中央側から周縁側に向かう方向とほぼ直交する方向にエンボス凹部３２を設けることができる。図８に示される例では、前後方向の両端部に、ほぼ吸収体幅方向に沿うとともに吸収体前後方向の端縁側（外側）に凸の湾曲形状の３本の帯状範囲３０ａ、３０ｂ、３０ｃが吸収体１３の前後方向に間隔をあけて配設された吸収体１３において、この帯状範囲３０ａ、３０ｂ、３０ｃの吸収体中央側の側縁に沿うとともに、この側縁から若干の間隔をあけて線状のエンボス凹部３２が配設されている。これによって、前記エンボス凹部３２を設けない場合、図９(A)に示されるように、２回目の排尿で香りが発生するように設定されていたとすると、まだ吸収体１３の幅方向両側部に吸収できる余力が残っているにもかかわらず、吸収体１３の前後方向に拡散し過ぎて広範囲に亘る水溶性香料と尿とが接触し強い香りが発生しておむつ交換時期が早く認識されるおそれがあるのに対して、吸収体１３の前後方向の両端部にエンボス凹部３２を設けた場合には、図９(B)に示されるように、エンボス凹部３２において吸収体１３に吸収された尿がエンボス凹部３２の端縁を回り込むようにして外側に拡散するため、吸収体１３の前後方向への拡散が抑制され、吸収体１３の幅方向への拡散にシフトしやすくなる結果、吸収体１３の前後方向への拡散と幅方向への拡散とが整合し、香りの強さと適切なおむつ交換時期との適合性が確保されるようになる。
【００６８】
前記エンボス凹部３２は、吸収体１３の幅方向への拡散が強い場合、吸収体１３幅方向と前後方向との拡散がほぼ均等であっても前後方向の両端部に設けた水溶性香料の塗布範囲３０に拡散領域が到達する前に吸収体１３の幅方向両端部からの横漏れを生じるおそれがある場合、又は吸収体１３の幅方向両側部に水溶性香料の塗布範囲３０を設けた場合などには、吸収体１３の幅方向両側部に、吸収体１３のほぼ前後方向に沿って設けることが可能である。
【００６９】
前記エンボス凹部３２は、図示例のように、吸収体１３の中央側周縁側に間隔をあけて複数本に亘って設けることもできるし、１本だけ設けることもできる。複数本設ける場合には、２本から５本程度が好ましい。また、図示例では、エンボス凹部３２は、吸収体１３に対して水溶性香料の塗布範囲３０と同じ部分、すなわち図示例では水溶性香料の塗布範囲３０が設けられる吸収体１３の前後方向の両端部に設けられているが、排泄物の拡散状態によっては、水溶性香料の塗布範囲３０が形成されない部分、すなわち図示例では吸収体１３の幅方向両側部に設けてもよい。なお、図示例では、エンボス凹部３２は、連続するエンボス線によって形成してあるが、点線状、鎖線状としてもよい。また、前記エンボス凹部３２に代えて、吸収体１３を厚み方向に所定幅で貫通させたスリットとすることによってもほぼ同様の効果が得られるようになる。
【実施例】
【００７０】
１回の排尿が吸収体を拡散する範囲について、種々の条件で測定した。実験では、サイズ及び材質の異なる使い捨ておむつを３種類用意し（下表１〜表４参照）、ダミー人形に装着させて人工尿を７５０ｃｃ／分の速度で女児排尿口から排出させ、排出から３分後に脱着させて排尿口位置からの拡散距離を測定した。前記排尿口の位置は、吸収体の前後方向中央から前側に、おむつＡでは２５mm、おむつＢでは３０mm、おむつＣでは３５mmの幅方向中央とした。前記人工尿（１０，０００ｇ）は、尿素：２００ｇ、塩化ナトリウム：８０ｇ、塩化カルシウム二水和物：３ｇ、硫化マグネシウム七水和物：８ｇ、及びイオン交換水：９，７０９ｇを混合して調整し、食用の青色染料を添加して着色したものである。
【００７１】
【表１】
2014166208.tif 000003
【００７２】
【表２】
2014166208.tif 000004
【００７３】
【表３】
2014166208.tif 000005
【００７４】
実験の結果を表４に示す。表４より、１回の排尿に対する拡散範囲の目安が判るので、これより外側に水溶性香料の塗布範囲３０を設けることができる。
【００７５】
【表４】
2014166208.tif 000006
【００７６】
〔他の形態例〕
(1)上記形態例では、水溶性香料を各部材に塗布する他に、吹付、散布方法及び接着剤による固定方法を例示したが、図１０に示されるように、予め水溶性香料を担持した香りシート３１を、各部材間に配設してもよい。その場合、製造工程では、図１０に示されるように、連続吸収体の切断予定線ＬＤに跨って香りシート３１を配設し、吸収体１３の切断とともに、香りシート３１が切断されるようにするのが好ましい。これによって、資材の無駄がなくなり、製造工程が簡略化できる。
【００７７】
(2)上記形態例では、使い捨ておむつを例に説明したが、本発明は、尿取りパッドや失禁パッド等の吸収性物品に広く使用できる。
【符号の説明】
【００７８】
１…使い捨ておむつ、１０…吸収性本体、１１…透液性トップシート、１２…バックシート、１３…吸収体、１４…被包シート、１８…セカンドシート、１９…ボトムシート、２０…外装シート、３０…塗布範囲、３１…香りシート、３２…エンボス凹部
【図１】
2014166208.tif 000007
【図２】
2014166208.tif 000008
【図３】
2014166208.tif 000009
【図４】
2014166208.tif 000010
【図５】
2014166208.tif 000011
【図６】
2014166208.tif 000012
【図７】
2014166208.tif 000013
【図８】
2014166208.tif 000014
【図９】
2014166208.tif 000015
【図１０】
2014166208.tif 000016